(57)【特許請求の範囲】
【請求項１】
取付基体の表側に配設した水栓本体から吐水管を延び出させるとともに該吐水管を先端側の吐水ヘッドと基端側の本体管とを有するものとなし、該吐水ヘッドに接続した可撓性のホースを該本体管に収納し、該ホースを該吐水ヘッドとともに該本体管から引出可能となしたホース収納水栓において、
前記ホースを短く畳んだ螺旋巻形状に成形して前記本体管に収納するとともに、該ホースの一端側を前記吐水ヘッドに、また他端側を前記水栓本体内部の流出通路に固定し、前記吐水ヘッドの引出時に該ホースを引き延ばしつつ該本体管から該吐水ヘッドとともに引き出す一方、収納時に該ホースを前記螺旋巻形状に戻すことによって該本体管に収納するようになしたことを特徴とするホース収納水栓。
【請求項２】
請求項１において、前記収納時に前記ホースが原成形形状に戻る力を利用して該ホースを前記本体管に収納するようになしたことを特徴とするホース収納水栓。
【請求項３】
請求項１，２の何れかにおいて、前記吐水ヘッドの引出しによって前記ホースの前記本体管から引き出された部分を覆う化粧管としての鞘管を設け、且つ該鞘管を該ホースの移動とともに伸縮する伸縮管となしたことを特徴とするホース収納水栓。
【発明の詳細な説明】
【０００１】
【発明の属する技術分野】
この発明は吐水ヘッドに接続された可撓性のホースが、吐水ヘッドの引出時にその吐水ヘッドとともに収納部から引出可能な形態のホース収納水栓に関する。
【０００２】
【従来の技術】
この種形式のホース収納水栓は、キッチンの流し台の水栓或いは洗面化粧台に備えられる洗髪用の水栓等として従来広く用いられている。
【０００３】
図７はその一例を示している。図において２００はカウンターなどから起立する状態で取り付けられた水栓本体で、２０２はカウンター下側に配管されて水栓本体２００に対し水，湯をそれぞれ供給するサプライ管である。
【０００４】
水栓本体２００の上部にはシングルレバー式の操作部２０４が設けられており、更に水栓本体２００の側面から吐水管２０６が斜め上向きに延び出している。
吐水管２０６は、水栓本体２００と一体に構成された軸方向に位置固定の本体管２０６Ａと、先端の吐水ヘッド２０６Ｂとを有しており、その吐水ヘッド２０６Ｂが、これに接続された可撓性のホース２０８とともに引出可能とされている。
【０００５】
水栓本体２００からは、カウンター下側において流出管２１０が下向きに延び出しており、その流出管２１０に、上記可撓性のホース２０８がカウンターの下側において、通例はキャビネット内部において垂れ下り状態で接続されている。
ここでホース２０８は、図に示しているように吐水ヘッド２０６Ｂとは反対側の端部が流出管２１０に対し、ホース引出方向即ちホースの長手方向に位置固定状態で接続されている。
【０００６】
２１２は位置固定に設けられたホースガイドであり、２１４はホース２０８の引出量を規定するストッパである。ストッパ２１４はホース２０８に固定的に取り付けてあり、ストッパ２１４がホースガイド２１２に当接することによって、ホース２０８の引出量が規定される。
【０００７】
【発明が解決しようとする課題】
しかしながらこの種形態のホース収納水栓にあっては、カウンター下に垂れ下がったホース２０８がキャビネット内で大きなスペースを占め、これによりカウンター下のキャビネット内の収納空間が狭められてしまうといった問題があった。
【０００８】
またその他にキャビネット内に、ホース２０８を伝って流れた水を受けるとともに吐止水時等のホース２０８の動き（踊り）を防止すべく垂れ下がったホース２０８の下端部を納めるための収納ボックスが必要となり、その収納ボックスのためのコストがかかるとともに、収納ボックスによって収納空間が更に狭められるといった問題の外、収納ボックスに溜まった水を定期的に捨てる等のメンテナンス作業が必要になるといった問題があった。
【０００９】
【課題を解決するための手段】
本発明のホース収納水栓はこのような課題を解決するために案出されたものである。
而して請求項１のものは、取付基体の表側に配設した水栓本体から吐水管を延び出させるとともに該吐水管を先端側の吐水ヘッドと基端側の本体管とを有するものとなし、該吐水ヘッドに接続した可撓性のホースを該本体管に収納し、該ホースを該吐水ヘッドとともに該本体管から引出可能となしたホース収納水栓において、前記ホースを短く畳んだ螺旋巻形状に成形して前記本体管に収納するとともに、該ホースの一端側を前記吐水ヘッドに、また他端側を前記水栓本体内部の流出通路に固定し、前記吐水ヘッドの引出時に該ホースを引き延ばしつつ該本体管から該吐水ヘッドとともに引き出す一方、収納時に該ホースを前記螺旋巻形状に戻すことによって該本体管に収納するようになしたことを特徴とする。
【００１０】
請求項２のものは、請求項１において、前記収納時に前記ホースが原成形形状に戻る力を利用して該ホースを前記本体管に収納するようになしたことを特徴とする。
【００１１】
請求項３のものは、請求項１，２の何れかにおいて、前記吐水ヘッドの引出しによって前記ホースの前記本体管から引き出された部分を覆う化粧管としての鞘管を設け、且つ該鞘管を該ホースの移動とともに伸縮する伸縮管となしたことを特徴とする。
【００１２】
【作用及び発明の効果】
上記のように請求項１のホース収納用水栓は、ホースを短く畳んだ畳形状に成形して、これを吐水管の基端側の本体管に収納し、吐水ヘッドの引出時にホースを引き延ばしつつ引き出す一方、収納時には再びホースを畳形状に戻すことによって収納部に収納するようになしたもので、このホース収納水栓の場合、ホースを著しくコンパクト化することができ、従ってホースの閉めるスペースを大幅に少なくすることができる。
【００１３】
また本発明では、ホースを畳形状で本体管に収納しておくようになすことによって、必要なホース長さを容易に確保することができ、従来のホース収納水栓と同様に吐水ヘッドをホースとともに十分な長さ分引き出すことができる。
【００１４】
更に本発明では、ホースの上記畳形状として、これを特に螺旋巻形状となしており、このようにすることで更に円滑にホースを引出し或いは本体管に収納するようになすことができる。
【００１５】
また本発明のものは、水栓本体をカウンター等取付基体の表側に配設するとともに、上記ホースをこの水栓本体から延び出した吐水管の本体管に収納したもので、このホース収納水栓にあっては、従来のホース収納水栓のようにホースがキャビネット内部等に垂れ下がって、そのキャビネット内部の収納空間が狭められるといった問題を解消することができ、従ってキャビネット内の物品の収納空間を広く確保することができる。
【００１６】
更にはまた、ホースがキャビネット内に入り込んでいないため、そのホースを伝って水がキャビネット内に落ちるといった問題も生じず、従ってまたキャビネット内にその水を受けるための受け器を兼ねたホース収納ボックスを設ける必要がなくなり、そのホース収納ボックスに要していたコストを削減することができるとともに、ホース収納ボックスによってキャビネット内空間が更に狭められたり、或いは収納ボックス内に溜まった水を定期的に捨てる等のメンテナンス作業を不要化することができる。
【００１７】
本発明においては、収納の際にホースが原成形形状に戻る力を利用してホースを本体管に収納するようになすことができる（請求項２）。
このようにすれば、引き出したホースを収納する際に円滑にホースを本体管に収納するようになすことができる。
【００１８】
尚、本発明においては上記ホースとして、異なる水を通水するための、例えば通常の水道水と浄水、或いはアルカリイオン水等の水を通水するための複数本のホースを設けておき、それぞれを螺旋巻形状で本体管に収納しておくことができる。
【００１９】
また本発明においては、ホースの収納部から引き出された部分を覆う化粧管としての鞘管を設け、且つその鞘管をホースの移動とともに伸縮する伸縮管となしておくことができる(請求項３)。
このようにしておけば、引き出されたホースが外部に露出することによって美観を損なう問題を解決することができる。
【００２０】
【実施例】
次に本発明の実施例を図面に基づいて詳しく説明する。
図１において、１０は取付基体としてのカウンター１２(図２参照)から起立する状態に取り付けられた水栓本体で、上部にシングルレバー式の操作部１４が設けられている。またその側面からは吐水管１６が斜め上向きに延び出している。
【００２１】
吐水管１６は、吐水口１８を有する先端側の吐水ヘッド１６Ａと、基端側の本体管１６Ｂとから成っている。ここで本体管１６Ｂは水栓本体１０に一体的に構成されている。
尚吐水ヘッド１６Ａは整流吐水，シャワー吐水何れも可能であって、その前面には吐水を整流吐水からシャワー吐水に若しくはその逆に切り替えるための切替操作部１９が設けてある。
【００２２】
図２に示しているように、水栓本体１０はカウンター１２の下面に位置してこれを下方から挟み付けるホルダ２０と、そのホルダ２０を締め付けるボルト２２によってカウンター１２に着座状態に設置されている。
【００２３】
カウンター１２の下側にはまた、水栓本体１０に対して水，湯をそれぞれ供給するサプライ管２４が配管されており、それぞれの上端部が水栓本体１０に接続されている。
【００２４】
これらサプライ管２４を通じて水栓本体１０に供給された水と湯は、水栓本体１０内部の弁部２６により、即ち固定弁体２８と可動弁体３０とを有する弁部２６により混合され、水栓本体１０内部の流出通路３１へと流出する。
【００２５】
尚、弁部２６における可動弁体３０と上記操作部１４とは係合アーム３２にて連結されており、操作部１４の操作によって可動弁体３０が固定弁体２８の上面である摺動面に沿って移動するようになっている。
【００２６】
而してこの例の水栓では、操作部１４を上下方向に回動操作することで吐水と止水が制御され、また左右方向に回動操作することによって水と湯との混合比率が調整され、吐水口１８からの吐水の温度が調節される。
【００２７】
吐水管１６の内部、詳しくは本体管１６Ｂの内部には可撓性のホース３４が収納されている。ここでホース３４は樹脂材で形成されていて弾性を有しており、螺旋状且つ密着巻き状態に成形されている。そして本体管１６Ｂ内部において一端側が吐水ヘッド１６Ａに接続され、また他端側が上記流出通路３１に連通する状態で設けられた接続口３６に接続されている。
【００２８】
即ちこの例では、水栓本体１０から延び出してその先端が吐水ヘッド１６Ａに接続された可撓性のホース３４の全体がカウンター１２の上側（表側）に配管され、且つ吐水管１６の本体管１６Ｂ内部に収納されている。
【００２９】
このように本例のホース収納水栓にあってはホース３４が螺旋巻形状で短く畳んだ畳形状で成形され且つ吐水管１６の本体管１６Ｂ内部に収納されており、図３に示しているように吐水ヘッド１６Ａを引き出すと、そのホース３４が畳形状から引き延ばされつつ吐水ヘッド１６Ａとともに引き出される。
【００３０】
このときホース３４には元の形状に戻ろうとする力が働いており、従って吐水ヘッド１６Ａを本体管１６Ｂの先端部に差し込むと、即ち元の状態に戻すと、ホース３４が自動的に且つ円滑に本体管１６Ｂ内部に収納される。
【００３１】
かかる本例のホース収納水栓１０の場合、図示のようにホース３４を著しくコンパクト化することができ、従ってホース３４の占めるスペースを大幅に少なくすることができる。
従って例えばこれをカウンター１２下のキャビネット内にその一部を収納するようにした場合においても、キャビネット内の収納空間を大きく確保することができるし、或いはまた図示のようにホース３４全体をカウンター上に配管しておくことができる。
【００３２】
また本例ではホース３４を畳形状で本体管１６Ｂの内部に収納しておくことで、必要なホース長さを容易に確保することができ、従来のホース収納水栓と同様に吐水ヘッド１６Ａをホース３４とともに十分な長さ分だけ引き出すことができる。
【００３３】
更に本例によれば、従来のホース収納水栓のようにホース３４がキャビネット内部に垂れ下がって、そのキャビネット内部の収納空間を狭めるといった問題を解消することができ、従ってキャビネット内の物品の収納空間を広く確保することができる。
【００３４】
更にはまた、ホース３４がキャビネット内に入り込んでいないため、そのホース３４を伝って水がキャビネット内に落ちるといった問題も生じず、従ってまたキャビネット内にその水を受けるための受け器を兼ねたホース収納ボックスを設ける必要がなくなり、従ってそのホース収納ボックスに要していたコストを削減することができるとともに、ホース収納ボックスによってキャビネット内空間が更に狭められたり、或いは収納ボックス内に溜まった水を定期的に捨てる等のメンテナンス作業を不要化できる。
【００３５】
図４は本発明の他の実施例を示したもので、この例は吐水ヘッド１６Ａの引出時にホース３４の本体管１６Ｂからの引出部分を覆う化粧管としての鞘管３８を設けた例である。
このようにしておけば、引き出されたホース３４が外部に露出することによって美観を損なう問題を解決することができる。
尚、この例では鞘管３８を蛇腹管として構成しているが、伸縮可能な他の形態で鞘管３８を構成することも可能である。
【００３６】
上記実施例では、ホース３４を螺旋巻形状で吐水管１６の本体管１６Ｂ内部に収納するようにしているが、他の様々な畳形状でこれを本体管１６Ｂその他の収納部内に収納しておくようになすことができる。
【００３７】
図５はその一例（参考例）を示したもので、この例ではホース３４を交互に折畳むようにして本体管１６Ｂ内部に収納するようにしている。但しその折畳部分は何れもＵ字状にターンした形状をなしている。尤もこれを鋭角に折畳んだ形状となしておくこともできる。
【００３８】
図６は本発明の他の実施例を示したもので、この例は２本のホース３４−１，３４−２を設けて、それぞれの一端側を吐水ヘッド１６Ａに接続し、他端側を水栓本体１０の接続口に接続するようになしたものである。
【００３９】
この例において、２本のホース３４−１，３４−２は何れも螺旋巻形状で吐水管１６の本体管１６Ｂ内部に収納されており、吐水ヘッド１６Ａの引出しとともにそれぞれのホース３４−１，３４−２が、螺旋巻形状に畳まれた状態から引き延ばされて、吐水ヘッド１６Ａとともに本体管１６Ｂから引き出される。
【００４０】
本例において、ホース３４−１は通常の水道水を流通させるためのものであり、３４−２は他の水、例えば浄水やアルカリイオン水等を流通させるためのものである。
【００４１】
図示のように本例ではホース３４−１，３４−２が二重螺旋をなすように巻回されているが、場合によって他の形態で吐水管１６の本体管１６Ｂその他の収納部に短く畳んだ形状で収納しておくようになすことができる。
【００４２】
以上本発明の実施例を詳述したがこれはあくまで一例示であり、本発明はその主旨を逸脱しない範囲において種々変更を加えた形態で構成可能である。
【図面の簡単な説明】
【図１】  本発明の一実施例であるホース収納水栓を示す図である。
【図２】  同じ実施例のホース収納水栓の内部構造を示す図である。
【図３】  同じ実施例のホース収納水栓の作用説明図である。
【図４】  本発明の他の実施例のホース収納水栓の要部を示す図である。
【図５】  参考例のホース収納水栓の要部を示す図である。
【図６】  本発明の更に他の実施例のホース収納水栓の要部を示す図である。
【図７】  従来のホース収納水栓の一例を示す図である。
【符号の説明】
１０  水栓本体
１２  カウンター
１６  吐水管
１６Ａ  吐水ヘッド
１６Ｂ  本体管
３４  ホース
３８  鞘管
【図１】
0004230653.tif 000002
【図２】
0004230653.tif 000003
【図３】
0004230653.tif 000004
【図４】
0004230653.tif 000005
【図５】
0004230653.tif 000006
【図６】
0004230653.tif 000007
【図７】
0004230653.tif 000008